(57)【要約】【課    題】使用済み樹脂にて構成される使用済み工業製品をもとに使用済み樹脂の種類からその色に至るまで識別し、工業的有利に識別できる識別方法及びその識別装置の提供。【解決手段】使用済み樹脂を再資源化処理、および/または、廃棄処理する際において、該使用済み樹脂にて構成される使用済み工業製品を画像撮影することにより、（イ）使用済み樹脂の種類及び色、又は（ロ）使用済み樹脂の種類及び色に加えてその他の樹脂状態を識別することを特徴とする使用済み樹脂の識別方法。【選択図】  なし【特許請求の範囲】
【請求項１】
使用済み樹脂を再資源化処理、および/または、廃棄処理する際において、該使用済み樹脂にて構成される使用済み工業製品を画像撮影することにより、（イ）使用済み樹脂の種類及び色、又は（ロ）使用済み樹脂の種類及び色に加えてその他の樹脂状態を識別することを特徴とする使用済み樹脂の識別方法。
【請求項２】
その他の樹脂状態が、添加剤の種類、その含有量及び樹脂表面の塗装状態から選ばれる１又は２以上であることを特徴とする請求項１記載の使用済み樹脂の識別方法。
【請求項３】
添加剤が、難燃剤、難燃補助剤、可塑剤、酸化防止剤、フィラー、帯電防止剤、潤滑剤及び着色剤の１種類又は２種類以上であることを特徴とする請求項２記載の使用済み樹脂の識別方法。
【請求項４】
使用済み樹脂を再資源化処理、および/または、廃棄処理する際において、該使用済み樹脂にて構成される使用済み工業製品を画像撮影し、撮影された画像から、（イ）使用済み樹脂の種類及び色、又は（ロ）使用済み樹脂の種類及び色に加えてその他の樹脂状態を識別する情報を得、さらに、これを基に使用済み樹脂の処理手段を表示することを特徴とする使用済み樹脂の処理手段の表示方法。
【請求項５】
処理手段を使用済み工業製品の表面に表示することを特徴とする請求項４記載の使用済み樹脂の処理手段の表示方法。
【請求項６】
使用済み樹脂を再資源化処理、および/または、廃棄処理する際において使用され、該使用済み樹脂にて構成される使用済み工業製品の画像を撮影する撮影部と撮影された画像から（イ）使用済み樹脂の種類及び色、又は（ロ）使用済み樹脂の種類及び色に加えてその他の樹脂状態を識別する情報を与える解析部とを具備することを特徴とする使用済み樹脂の識別装置。
【請求項７】
その他の樹脂状態が、含有添加剤の種類、その含有量及び樹脂表面の塗装状態から選ばれる１又は２以上であることを特徴とする請求項６記載の使用済み樹脂の識別装置。
【請求項８】
添加剤が、難燃剤、難燃補助剤、可塑剤、酸化防止剤、フィラー、帯電防止剤、潤滑剤及び着色剤の少なくとも１種類又は２種類以上であることを特徴とする請求項７記載の使用済み樹脂の識別装置。
【請求項９】
モバイル型であることを特徴とする請求項６記載の使用済み樹脂の識別装置。
【請求項１０】
請求項１記載の識別方法を用いて使用済み樹脂を構成要素として含む使用済み工業製品を分別処理することを特徴とする使用済み樹脂の分別方法。
【請求項１１】
請求項６記載の識別装置を用いて使用済み樹脂を構成要素として含む使用済み工業製品を分別処理することを特徴とする使用済み樹脂の分別方法。
【請求項１２】
請求項１０記載の使用済み樹脂の分別方法により分別された樹脂を工業製品製造用原料に利用することを特徴とする使用済み樹脂の再利用方法。
【請求項１３】
請求項６記載の識別装置を用いて分別された樹脂を工業製品製造用原料に利用することを特徴とする使用済み樹脂の再利用方法。
【請求項１４】
請求項１０記載の使用済み樹脂の分別方法により分別された使用済み樹脂をリサイクルして得られる工業製品。
【請求項１５】
請求項６記載の識別装置を用いて分別された使用済み樹脂をリサイクルして得られる工業製品。
【発明の詳細な説明】
【０００１】
【発明の属する技術分野】
本発明は、使用済み樹脂の識別方法及び識別装置に関する。
【０００２】
【従来の技術】
近年、地球環境保全の関心の高まりから、資源の有効利用や廃棄物低減が好まれ、さらに、これらの観点から、例えば特定家庭用機器再資源化法等に代表されるように使用済み工業製品の再資源化が高く叫ばれている。このような状況の中で、例えば乗用車又は家電製品等に代表される大型の工業製品については、工業製品を回収・解体した後、その回収物・解体物を各種構成材料毎に分別して再資源化することなどが進められているが、そのような工業製品の構成材料のうち樹脂については、埋め立て処理、焼却処理又は固形燃料化処理されるのが殆どで、たとえ、樹脂が再資源化された場合であっても、その再資源化された樹脂が例えば鉄道の枕木や杭等といった非常に低グレードの再生樹脂等として利用されているのが一般的である。これは、各種工業製品に使用されている樹脂の再資源化処理手段等が、樹脂そのものの種類、樹脂中に含まれる添加剤の種類若しくは量又は樹脂状態（例えば樹脂表面の塗装状態等）などで異なる場合が非常に多いこと、均一な品質の樹脂として再資源化し難いこと等のためである。
【０００３】
例えば、使用済み工業製品が使用済みテレビである場合であって、その使用済みテレビから樹脂を回収／再利用する場合、通常、その使用済みテレビの筐体材は樹脂で構成されているが、それら樹脂、同樹脂中の添加剤（例えば難燃剤等）又は塗装状態等は、上記使用済みテレビの機種によって全く異なったものとなっている。さらに、上記使用済みテレビの筐体が同じ機種である場合であっても、フロント部及びリアカバー部のように、部位によっても樹脂の塗装状態（例えば塗装の有無等）などが異なったりするため、樹脂の識別処理が煩雑となり、これを簡易に実施できる識別方法が望まれていた。
【０００４】
ところで、焼却処理するとダイオキシン発生の可能性があると言われている難燃剤例えばデカブロモジフェニルオキサイド（デカブロともいう）等を嫌い、このような難燃剤を使用しない筐体樹脂（例えば難燃剤としてデカブロを含まないノンデカ系ハイインパクトポリスチレン樹脂等）が近年一般に用いられているが、過去に生産されたテレビにはデカブロを含むものが多いため、同じ種類の樹脂であっても添加剤（例えば難燃剤等）の種類等によって異なる処理を施さなければならないケースがある。そのため、樹脂の識別処理さらには分別処理を工業的有利に実施し得る方策が望まれていた。
【０００５】
以上のような状況の中で、ＦＴ−ＩＲ（フーリエ変換赤外分光光度計）を用いた樹脂の識別装置が提案され、検討されている（特許文献１）が、樹脂表面が黒色だったり、塗装されている場合は識別精度が極度に低下したり、また、装置が大型及び／又は高額であること、前処理（例えばサンプル片の作成又はサンプル表面の研磨等）を必要とすること、又は測定に時間を要したりすること等の種々の技術的な問題から、精度の高い小型の樹脂識別装置が望まれていた。
【０００６】
さらに、工業製品が同じ機種であっても、その工業製品の色が異なれば、その工業製品に含まれている塗料等が異なり、その結果、使用済み工業製品の処理手段が異なったり、さらには、リサイクル後の工業製品の発色に影響を及ぼしたりする。例えば、赤色の使用済み工業製品の樹脂を工業用原料として再資源化した場合、その再資源化された樹脂を黒色の工業製品へのリサイクルに用いることはできるが、白色の工業製品へのリサイクルには発色の観点から用いることは困難であること、黒色の使用済み工業製品の樹脂を工業用原料として再資源化した場合、その再資源化された樹脂をアイボリーの工業製品へのリサイクルに用いることは発色の観点から困難であること等が挙げられる。
【０００７】
【特許文献１】
特開平０９−２５７５６９号公報
【０００８】
【発明が解決しようとする課題】
本発明は、使用済み樹脂にて構成される使用済み工業製品から使用済み樹脂の種類及び色を工業的有利に識別できる識別方法及びそのための識別装置を提供することを目的とする。
【０００９】
【課題を解決するための手段】
本発明者らは、上記目的を達成すべく鋭意検討した結果、対象とする樹脂を直接分析するのではなく、対象とする樹脂を含む使用済み工業製品の画像から樹脂の種類及び色等を識別できる識別方法を見出した。さらに、本発明者らは、上記識別方法が、精度が高いこと、簡易であること、工業的有利に実施できること、使用済み工業製品の樹脂をリサイクル後の工業製品の色が良好であること等を知見し、上記問題点を一挙に解決できることを見出した。
本発明者らは、かかる種々の知見を得た後、さらに検討を重ね、本発明を完成させた。
【００１０】
すなわち、本発明は、
（１）  使用済み樹脂を再資源化処理、および/または、廃棄処理する際において、該使用済み樹脂にて構成される使用済み工業製品を画像撮影することにより、（イ）使用済み樹脂の種類及び色、又は（ロ）使用済み樹脂の種類及び色に加えてその他の樹脂状態を識別することを特徴とする使用済み樹脂の識別方法、
（２）  その他の樹脂状態が、添加剤の種類、その含有量及び樹脂表面の塗装状態から選ばれる１又は２以上であることを特徴とする（１）記載の使用済み樹脂の識別方法、
（３）  添加剤が、難燃剤、難燃補助剤、可塑剤、酸化防止剤、フィラー、帯電防止剤、潤滑剤及び着色剤の１種類又は２種類以上であることを特徴とする（２）記載の使用済み樹脂の識別方法、
に関する。
【００１１】
また、本発明は、
（４）  使用済み樹脂を再資源化処理、および/または、廃棄処理する際において、該使用済み樹脂にて構成される使用済み工業製品を画像撮影し、撮影された画像から、（イ）使用済み樹脂の種類及び色、又は（ロ）使用済み樹脂の種類及び色に加えてその他の樹脂状態を識別する情報を得、さらに、これを基に使用済み樹脂の処理手段を表示することを特徴とする使用済み樹脂の処理手段の表示方法、
（５）  処理手段を使用済み工業製品の表面に表示することを特徴とする（４）記載の使用済み樹脂の処理手段の表示方法、
に関する。
【００１２】
また、本発明は、
（６）  使用済み樹脂を再資源化処理、および/または、廃棄処理する際において使用され、該使用済み樹脂にて構成される使用済み工業製品の画像を撮影する撮影部と撮影された画像から（イ）使用済み樹脂の種類及び色、又は（ロ）使用済み樹脂の種類及び色に加えてその他の樹脂状態を識別する情報を与える解析部とを具備することを特徴とする使用済み樹脂の識別装置、
（７）  その他の樹脂状態が、含有添加剤の種類、その含有量及び樹脂表面の塗装状態から選ばれる１又は２以上であることを特徴とする（６）記載の使用済み樹脂の識別装置、
（８）  添加剤が、難燃剤、難燃補助剤、可塑剤、酸化防止剤、フィラー、帯電防止剤、潤滑剤及び着色剤の少なくとも１種類又は２種類以上であることを特徴とする（７）記載の使用済み樹脂の識別装置、
に関する。
【００１３】
また、本発明は、
（９）  モバイル型であることを特徴とする（６）記載の使用済み樹脂の識別装置、
（１０）  （１）記載の識別方法を用いて使用済み樹脂を構成要素として含む使用済み工業製品を分別処理することを特徴とする使用済み樹脂の分別方法、
（１１）  （６）記載の識別装置を用いて使用済み樹脂を構成要素として含む使用済み工業製品を分別処理することを特徴とする使用済み樹脂の分別方法、
に関する。
【００１４】
また、本発明は、
（１２）  （１０）記載の使用済み樹脂の分別方法により分別された樹脂を工業製品製造用原料に利用することを特徴とする使用済み樹脂の再利用方法、
（１３）  （６）記載の識別装置を用いて分別された樹脂を工業製品製造用原料に利用することを特徴とする使用済み樹脂の再利用方法、
（１４）  （１０）記載の使用済み樹脂の分別方法により分別された使用済み樹脂をリサイクルして得られる工業製品、
（１５）  （６）記載の識別装置を用いて分別された使用済み樹脂をリサイクルして得られる工業製品、
に関する。
【００１５】
【発明の実施の形態】
本発明は、使用済み樹脂を再資源化処理、および/または、廃棄処理する際において、該使用済み樹脂にて構成される使用済み工業製品を画像撮影し、撮影された画像から（イ）使用済み樹脂の種類及び色、又は（ロ）使用済み樹脂の種類及び色に加えてその他の樹脂状態を識別することを特徴とする使用済み樹脂の識別方法である。
【００１６】
本発明で用いられる使用済み工業製品は、使用済み製品であって、樹脂を構成要素とするものであればどのようなものでもよい。例えば、材料、加工品又は最終製品等が挙げられる。より具体的に例えば、電気・電子製品、自動車、建材、包装材又は家具製品等が挙げられる。本発明においては、上記使用済み工業製品の代表例は、電気・電子製品、家電製品又は自動車等であり、より具体的には、白物家電、テレビ、音響機器（例えばステレオヘッドフォン等）、コンピューター又はモニター等が好ましい例として挙げられる。
【００１７】
上記使用済み樹脂は、少なくとも１種の高分子化合物を含むものであればどのようなものでもよい。天然樹脂であってもよく、合成樹脂であってもよい。熱可塑性樹脂であってもよく、熱硬化性樹脂であってもよい。上記熱可塑性樹脂としては、例えば、アクリル系樹脂、ポリスチレン系樹脂（例えばゴム無添加ポリスチレン又はハイインパクトポリスチレン等）、ポリエチレン系樹脂、ポリプロピレン系樹脂、ポリブチレン系樹脂、ＡＢＳ樹脂、ポリ塩化ビニル系樹脂、ポリオキシメチレン系又はポリアセタール系樹脂、ポリカーボネート（ＰＣ）系樹脂、ＡＢＳ／ＰＣ共重合樹脂、ポリフェニレンエーテル（ＰＰＥ）樹脂、ポリブチレンテレフタレート（ＰＢＴ）樹脂、ポリエチレンテレフタレート（ＰＥＴ）樹脂、液晶ポリマー（ＬＣＰ）系樹脂、アクリロニトリル／スチレン（ＡＳ）樹脂又は生分解性樹脂等が挙げられる。上記熱硬化性樹脂としては、例えば、フェノール系樹脂、エポキシ系樹脂、ユリア系樹脂、メラミン系樹脂、不飽和ポリエステル系樹脂、ジアリルフタレート系樹脂、ポリイミド系樹脂、ポリウレタン系樹脂又はシリコーン系樹脂等が挙げられる。
【００１８】
本発明で用いられる画像撮影する手段は、上記使用済み工業製品を画像撮影できさえすればどのような手段であってもよい。公知の手段であってよく、例えば、ＣＣＤカメラを用いる手段等が挙げられる。より具体的には、デジタルカメラ、ビデオカメラ、アナログカメラ又はスキャナー等が挙げられる。
【００１９】
本発明で用いられる（イ）使用済み樹脂の種類及び色、又は（ロ）使用済み樹脂の種類及び色に加えてその他の樹脂状態を識別する手段は、上記撮影された画像から（イ）使用済み樹脂の種類及び色、又は（ロ）使用済み樹脂の種類及び色に加えてその他の樹脂状態を識別できさえすればどのような手段であってよい。例えば、ＣＰＵを用いる手段等が挙げられ、図３に示すようなＣＰＵとデータベースとを用いる手段等が好ましい例として挙げられる。図３では、上記撮影された画像が入力されると、ＣＰＵ１４によってデータベース１３にある樹脂情報の検索が実行される。データベース１３は、製品画像情報及び樹脂情報が蓄積されており、製品画像情報に樹脂情報が盛り込まれている。上記樹脂情報は、（イ）使用済み樹脂の種類及び色、又は（ロ）使用済み樹脂の種類及び色に加えてその他の樹脂状態に関する情報を含んでいる。ＣＰＵ１４によって、製品画像情報Ａを基にその製品画像情報Ａに盛り込まれている樹脂情報Ａが検索される。検索結果として樹脂情報Ａが、ＣＰＵ１４によって外部出力される。
【００２０】
また、本発明では、図４に示すように所望の樹脂情報をあらかじめ設定してから（イ）使用済み樹脂の種類及び色、又は（ロ）使用済み樹脂の種類及び色に加えてその他の樹脂状態を識別してもよい。上記所望の樹脂情報は、上記使用済み樹脂に関する情報であって、使用済み樹脂の種類及び色、又は（ロ）使用済み樹脂の種類及び色に加えてその他の樹脂状態に関する情報を含んでいる。図４では、所望の樹脂情報を設定し、上記撮影された画像が入力されると、ＣＰＵ１４によってデータベース１３にある樹脂情報の検索が実行される。ＣＰＵ１４によって、製品画像情報Ａと所望の樹脂情報ａとを基にその製品画像情報Ａに盛り込まれている樹脂情報Ａ−ａが検索される。検索結果として樹脂情報Ａ−ａが、ＣＰＵ１４によって外部出力される。
【００２１】
上記使用済み樹脂の種類は、樹脂を分類できるものであればどのようなものでもよい。例えば、樹脂名、樹脂の性質、樹脂の状態、樹脂の製造方法又は樹脂メーカー名等が挙げられる。上位、中位又は下位など任意の分類であってよい。より具体的に例えば、天然樹脂及び合成樹脂、熱硬化性樹脂及び熱可塑性樹脂、結晶性及び非晶性、固体、弾性体及び粘弾性体、逐次重合及び連鎖重合、又はポリオレフィン樹脂、アクリル系樹脂、ポリスチレン系樹脂（例えばゴム無添加ポリスチレン又はハイインパクトポリスチレン等）、ポリエチレン系樹脂、ポリプロピレン系樹脂、ポリブチレン系樹脂、ＡＢＳ樹脂、ポリ塩化ビニル系樹脂、ポリオキシメチレン系又はポリアセタール系樹脂、ポリカーボネート（ＰＣ）系樹脂、ＡＢＳ／ＰＣ共重合樹脂、ポリフェニレンエーテル（ＰＰＥ）樹脂、ポリブチレンテレフタレート（ＰＢＴ）樹脂、ポリエチレンテレフタレート（ＰＥＴ）樹脂、液晶ポリマー（ＬＣＰ）系樹脂、アクリロニトリル／スチレン（ＡＳ）樹脂、生分解性樹脂、フェノール系樹脂、エポキシ系樹脂、ユリア系樹脂、メラミン系樹脂、不飽和ポリエステル系樹脂、ジアリルフタレート系樹脂、ポリイミド系樹脂、ポリウレタン系樹脂及びシリコーン系樹脂等から選ばれる１種又は２種以上等が挙げられる。
【００２２】
上記使用済み樹脂の色は、受けた光のうち、反射する光によって人間の網膜を刺激する性質であれば特に限定されない。色と称される公知の色であってよい。例えば、「ＪＩＳ  Ｚ  ８１０２：２００１物体色の色名」に記載されている色、３２ビットカラー又はカラーインデックスによって特定される顔料の色等が挙げられる。本発明においては、色彩学上の色ではない色例えば金属色（例えば、金、銀又は銅等）、透明色（例えばスケルトンブルー、スケルトンレッド、スケルトングリーン、スケルトンオレンジ、スケルトンバイオレット又はスケルトンイエロー等）又は玉虫色等も上記使用済み樹脂の色として好適に用いられる。
【００２３】
上記その他の樹脂状態は、上記使用済み樹脂の種類及び上記使用済み樹脂の色を除いて、上記使用済み樹脂に関する状態であればどのようなものでもよい。例えば、含有添加剤の種類、その含有量及び樹脂表面の塗装状態等から選ばれる１以上などが挙げられる。上記含有添加剤としては、例えば、難燃剤、難燃補助剤、可塑剤、酸化防止剤、紫外線吸収剤、分散剤、フィラー（有機又は無機）、帯電防止剤、潤滑剤、着色剤及び樹脂硬化剤等から選ばれる１種類以上などが挙げられる。これら含有添加剤は、いずれも公知のものであってよい。本発明においては、上記含有添加剤が、難燃剤、難燃補助剤、可塑剤、酸化防止剤、紫外線吸収剤、分散剤、有機フィラー、無機フィラー、帯電防止剤、潤滑剤又は着色剤であることが好ましく、難燃剤であることがより好ましく、難燃剤はデカブロを含む難燃剤とデカブロを含まない難燃剤とに区別されるのが最も好ましい。かかる上記含有添加剤の含有量は、工業製品の種類に従って含有添加剤の種類等によって設定される量である。上記樹脂の塗装状態は、塗装面の状態であればどのようなものでもよい。例えば、塗装の有無、塗料等の剥離状態、塗装面の色劣化状態又は付着物の付着状態などが挙げられる。本発明においては、上記樹脂状態が、含有添加剤の種類又は／及び樹脂表面の塗装状態であることが好ましく、含有添加剤の種類であることがより好ましい。
【００２４】
また、本発明は、上記識別方法によって得られた識別情報を基に使用済み樹脂の処理手段を表示することを特徴とする上記使用済み樹脂の処理手段の表示方法である。かかる上記表示方法に用いられる表示手段は、上記識別方法によって得られた識別情報から使用済み樹脂の処理手段を表示することができさえすればどのような手段であってよい。公知の手段であってよく、例えば、上記使用済み工業製品の表面に使用済み樹脂の処理手段を表示する手段、上記使用済み工業製品の内部の例えば発信装置により使用済み樹脂の処理手段を表示する手段、下記するようにディスプレイに使用済み樹脂の処理手段を表示する手段、音声で使用済み樹脂の処理手段を表示する手段、光で使用済み樹脂の処理手段を表示する手段又は作業員の作業若しくは動作で使用済み樹脂の処理手段を表示する手段などが挙げられる。本発明においては、上記表示方法が、上記使用済み工業製品の表面に表示する方法であることが好ましく、処理手段を表示するために上記使用済み工業製品を加工する方法又は上記使用済み工業製品にマーキングを施す方法であることがより好ましく、上記使用済み工業製品にマーキングを施す方法であることが最も好ましい。
【００２５】
上記処理手段は、上記使用済み樹脂を用いる手段であればどのようなものでもよい。公知の処理手段であってもよく、例えば、埋め立て手段又は焼却手段等の廃棄処理手段、及び固形燃料化手段、再利用手段（例えばカスケード利用等）又は再使用手段等の再資源化手段から選ばれる１種類以上の処理手段などが挙げられる。本発明においては、上記処理手段が、再利用手段、埋め立て手段又は焼却手段であることが好ましい。
【００２６】
上記表示手段に用いられる表示は、上記使用済み工業製品の上記処理手段を明瞭に識別できるものであればどのようなものでもよい。例えば、上記処理手段の名称又は上記処理手段を講じる場所等の上記処理手段を特定する表示、より具体的には、色分け、模様、線図、ぼかし、記号、音又は光等の表示が挙げられる。より具体的に例えば、上記表示手段がマーキングである場合、テープ（例えば青色、赤色、黒色、灰色、黄色、緑色及び白色から選ばれる１種類以上の色テープ等）、シール、スタンプ又は印字等が挙げられる。
【００２７】
また、本発明は、使用済み樹脂を再資源化処理、および/または、廃棄処理する際において使用され、該使用済み樹脂にて構成される使用済み工業製品の画像を撮影する撮影部と撮影された画像から（イ）使用済み樹脂の種類及び色、又は（ロ）使用済み樹脂の種類及び色に加えてその他の樹脂状態を識別する情報を与える解析部とを具備することを特徴とする使用済み樹脂の識別装置である。
【００２８】
上記撮影部は、上記使用済み工業製品の画像を認識できるものであればどのようなものでもよい。公知のものであってもよく、例えば、ＣＣＤカメラ等が挙げられる。上記ＣＣＤカメラは、上記使用済み工業製品の画像を認識できるものであって、ＣＣＤを具備するものであればどのようなものでもよい。公知のものであってよく、例えば、デジタルカメラ、ビデオカメラ、アナログカメラ又はスキャナー等が挙げられる。
【００２９】
上記解析部は、上記撮影部で得られた画像を解析し、（イ）上記使用済み樹脂の種類及び色、又は（ロ）上記使用済み樹脂の種類及び色に加えて上記その他の樹脂状態を識別できさえすればどのようなものでもよい。公知のものであってよく、例えば、ＣＰＵ等が挙げられる。本発明においては、上記解析部としてＣＰＵを具備するコンピューターが好適に用いられる。また、本発明においては、上記使用済み樹脂の識別装置が、据え置き型又はモバイル型の識別装置であることが好ましい。
【００３０】
本発明では、上記使用済み樹脂の識別装置に上記撮影部と上記解析部とを具備させることにより製造することができる。かかる上記識別装置の製造方法は、上記撮影部と上記解析部とから上記識別装置を製造できさえすればどのような方法でもよく、公知の方法であってもよい。例えば、上記撮影部と上記解析部とを、配線、コード、ケーブル、搬送機（例えばコンテナ又はコンベアー等）及び選別機等から選ばれる１以上を用いて組合せる方法などが挙げられる。本発明においては、上記識別装置を、専用の回収／解体設備で用いてもよく、上記樹脂情報をあらかじめ上記解析部に入力するために使用前の工業製品の量販店、輸送中継点又は製造所等で用いてもよい。
【００３１】
以下、図面を用いて本発明の好ましい態様を説明する。
【００３２】
図１は、搬送機１、コンベアー２、画像認識部であるＣＣＤカメラ３、解析部であるコンピューター７、表示部であるディスプレイ４、及び選別機５を具備することを特長とする上記使用済み樹脂の識別装置を示す。図１では、使用済み工業製品として使用済みテレビ６が採用されている。使用済みテレビ６を搬送機１にてコンベアー２に運搬し、コンベアー２でもって使用済みテレビ６を画像認識部のＣＣＤカメラ３の撮影可能な位置に運搬する。所定の位置に使用済みテレビ６が運搬されると、ＣＣＤカメラ３にて、使用済みテレビ６の画像（例えば対象の使用済みテレビの大きさ、形状又は色等）が認識され、解析部に認識された画像が送信される。送信された画像を上記解析部で解析することにより、例えば、ソニー株式会社製の機種名ＫＶ−ＺＩＳＶＦＩの使用済みテレビ６等と判定される。
【００３３】
また、解析部たるコンピューター７では、上記使用済み工業製品の機種、そのメーカー、上記使用済み工業製品に用いられている（イ）上記使用済み樹脂の種類及び色、又は（ロ）上記使用済み樹脂の種類及び色に加えて上記その他の樹脂状態（例えば含有添加剤の種類、その含有量、塗装の有無、塗装材料の種類、その量又は膜厚等）などのデータがインプットされている。機種名が判定されるとコンピューター７にインプットされているその機種のデータ等を用いることができ、例えば、ソニー株式会社製の機種名ＫＶ−ＺＩＳＶＦＩの使用済みテレビ６である場合、フロントはＨＩＰＳでノンデカ、リアカバーはＨＩＰＳでデカブロなどの上記樹脂の種類及び色、又は上記樹脂及び色に加えてその他の樹脂状態が識別される。さらに、これら樹脂に関する情報からディスプレイ４にて上記使用済み樹脂の処理方法を表示することにより、又は／及びかかる処理情報を選別機５に送信することによって、コンベアー２に運搬された使用済みテレビ６が選別機５又は作業者によって対象となる使用済みテレビ６がその処理（例えば埋め立て処理、焼却処理、又は固形燃料化処理又はカスケード利用等の再利用処理等）毎に分別処理される。
【００３４】
なお、図１では、樹脂がノンデカのＨＩＰＳである使用済みテレビ６の処理手段（リサイクル処理手段）の表示として青テープ８ａが添付されており、樹脂がデカブロのＨＩＰＳである使用済みテレビ６の処理手段（埋め立て処理手段）の表示として赤テープ８ｂが添付されている。本発明においては、上記識別後、使用済みテレビ６に、上記マーキング等を施して、次工程の作業者がその情報を基に対象樹脂の処理方法を判断するようにしてもよい。
【００３５】
図２は、ＣＣＤカメラ３、ディスプレイ部９、ＳＷ１１及びアンテナ１２を具備することを特長とするモバイル型の上記識別装置を示す。図２では、ＣＣＤカメラ３が搭載され、上記解析部（ＣＰＵ）が内蔵されている。上記使用済み工業製品として使用済みテレビ６が採用されている。使用済みテレビ６にＣＣＤカメラ３の照準を合わせ、ＳＷ１１をＯＮにすると、ＣＣＤカメラ３による画像認識が行われ、ＣＰＵによって機種及びメーカーが特定され、その機種及びメーカーから上記樹脂の種類及び色、又は樹脂の種類及び色に加えてその他の樹脂状態の識別が行われる。さらに、識別結果と識別されたデータを基に樹脂の処理手段（例えばリサイクル処理、埋め立て処理又は焼却処理等）がディスプレイ部９にて表示される。なお、この図２では、例えばテレビ等の新製品が市場に出回った場合、そのテレビ等の工業製品及びその工業製品に含まれている樹脂に関する最新情報を、アンテナ１２等を用いてＩＴによりアップデートしてもよく、ダウンロードしてもよい。メモリースティックＴＭ１０等の記録媒体で入手してもよい。本発明においては、上記識別装置が、図１のような据え置き型の識別装置に用いられる大型の搬送機等が不要となるため、図２のようなモバイル型の識別装置であることが好ましい。
【００３６】
上記識別方法、上記処理手段の識別方法及び上記識別装置は、使用済み樹脂を再資源化処理、および/または、廃棄処理する際において用いられる。上記廃棄処理としては、例えば、埋め立て処理又は焼却処理等の公知の処理などが挙げられる。上記再資源化処理としては、例えば、固形燃料化処理、再利用処理（例えばカスケード利用等）又は再使用処理等の公知の処理などが挙げられる。本発明においては、上記識別方法及び上記識別装置が、上記使用済み樹脂を含む上記使用済み工業製品の分別処理に用いられることが好ましく、さらに分別された使用済み樹脂を工業製品製造用原料に再利用する再利用処理に用いられることがより好ましく、さらに工業製品製造用原料から工業製品にリサイクルするリサイクル処理に用いられることが最も好ましい。
【００３７】
【発明の効果】
本発明によって、使用済み樹脂にて構成される使用済み工業製品の画像により使用済み樹脂の種類からその色に至るまでを、工業的有利に識別できる識別方法及びその識別装置を提供できる。
【図面の簡単な説明】
【図１】搬送機１、コンベアー２、画像認識部であるＣＣＤカメラ３、解析部であるコンピューター７、表示部であるディスプレイ４、及び選別機５を具備することを特長とする上記使用済み樹脂の識別装置であって、本発明の好ましい態様を説明する。
【図２】ＣＣＤカメラ３、ディスプレイ部９、ＳＷ１１及びアンテナ１２を具備することを特長とするモバイル型の上記識別装置であって、本発明の好ましい態様を説明する。
【図３】ＣＰＵとデータベースとを用いて画像情報から樹脂情報を取得する好ましい実施態様を説明するフローチャートである。
【図４】所望の樹脂情報をあらかじめ設定する場合の本発明の好ましい実施態様を説明するフローチャートである。
【符号の説明】
１    搬送機
２    コンベアー
３    ＣＣＤカメラ
４    ディスプレイ
５    選別機
６    使用済みテレビ
７    コンピューター
８ａ  青テープ
８ｂ  赤テープ
９    ディスプレイ部
１０    メモリースティックＴＭ
１１    ＳＷ
１２    アンテナ
１３    データベース
１４    ＣＰＵ
【図１】
2004191203.tif 000002
【図２】
2004191203.tif 000003
【図３】
2004191203.tif 000004
【図４】
2004191203.tif 000005